(57)【要約】記録可能なディスクに安定したデータ再生のためのデータ記録方法、そのシンク保護方法、その情報記録媒体及びその再生装置を提供する。  レコーディングユニットは、ユーザーデータ及び第１認識子を備えるボディと、ボディを保護するためにボディの直ぐ前に配置され、第１認識子を保護するための第２認識子を備えるヘッドと、を備え、第２認識子は、第１認識子から識別されるために、第１認識子として使用される最長パターンの個数より多いパターンから構成されることを特徴とするレコーディングユニット単位でデータが記録される記録可能な情報記録媒体である。これにより、記録可能なディスクに随時データを記録しても、再生時にデータが適切に再生されうる。
2006520514.tif 000002
【特許請求の範囲】
【請求項１】
レコーディングユニット単位でデータが記録される記録可能な情報記録媒体において、
前記レコーディングユニットは、
ユーザーデータ及び第１認識子を備えるボディと、
前記ボディを保護するために前記ボディの前側に配置され、前記第１認識子を保護するための第２認識子を備えるヘッドとを備え、
前記第２認識子は、前記第１認識子から識別されるために、前記第１認識子として使用される最長パターンの個数より多いパターンから構成されることを特徴とする情報記録媒体。
【請求項２】
前記レコーディングユニットは、前記ボディの後側に配置され、第３認識子を備えるテールを更に備えることを特徴とする請求項１に記載の情報記録媒体。
【請求項３】
ＲＬＬ（１,１０）変調コードを使用する場合、前記第１認識子は、１２Ｔのパターンを使用し、前記第２認識子は、前記第１認識子で使用する１２Ｔのパターンを２つ使用することを特徴とする請求項１に記載の情報記録媒体。
【請求項４】
ＲＬＬ（１,１０）であり、８ビットのデータを１２ビットのコードワードに変換する変調コードを使用する場合、前記第１認識子は、１３Ｔのパターンを使用し、前記第２認識子は、前記第１認識子で使用する１３Ｔのパターンを２つ使用することを特徴とする請求項１に記載の情報記録媒体。
【請求項５】
前記第２認識子は、ヘッドの後側に位置することを特徴とする請求項１に記載の情報記録媒体。
【請求項６】
前記ヘッド領域にデータＰＬＬのために、特定の長さのマークまたはピットがＡバイトの長さの間に繰り返されるように記録されることを特徴とする請求項１に記載の情報記録媒体。
【請求項７】
前記特定の長さのマークまたはピットが繰り返されるようにパターン‘０１０００１０００１００’を使用することを特徴とする請求項６に記載の情報記録媒体。
【請求項８】
前記Ａバイトの長さは、６８であることを特徴とする請求項６に記載の情報記録媒体。
【請求項９】
前記ヘッド領域でヘッドであることが分かる前記第２認識子のための認識パターンは、どの領域でも発見されないパターンをＢバイトの長さの間に使用することを特徴とする請求項６に記載の情報記録媒体。
【請求項１０】
前記ヘッド領域でヘッドであることが分かる前記第２認識子のための認識パターンは、前記認識パターンの前のパターンと連結されつつ、どの領域でも発見されないパターンをＢバイトの長さの間に使用することを特徴とする請求項６に記載の情報記録媒体。
【請求項１１】
前記認識パターンは、‘００００００００００１０  ０００００００００００１’を使用することを特徴とする請求項９に記載の情報記録媒体。
【請求項１２】
前記認識パターンは、‘００００００００００１０  ０００００００００００１’を使用することを特徴とする請求項１０に記載の情報記録媒体。
【請求項１３】
前記Ｂバイトの長さは、２であることを特徴とする請求項９に記載の情報記録媒体。
【請求項１４】
前記Ｂバイトの長さは、２であることを特徴とする請求項１０に記載の情報記録媒体。
【請求項１５】
前記第２認識子のための認識パターン及びその後に連結されるパターンが、データＰＬＬのために特定の長さのマークまたはピットをＣバイトの長さの間に繰り返させることを特徴とする請求項９に記載の情報記録媒体。
【請求項１６】
前記第２認識子のための認識パターン及びその後に連結されるパターンが、データＰＬＬのために特定の長さのマークまたはピットをＣバイトの長さの間に繰り返させることを特徴とする請求項１０に記載の情報記録媒体。
【請求項１７】
前記特定の長さのマークまたはピットが繰り返されるようにパターン‘０００１０００１０００１’を使用することを特徴とする請求項１６記載の情報記録媒体。
【請求項１８】
前記Ｃバイトの長さは、１であることを特徴とする請求項１３記載の情報記録媒体。
【請求項１９】
レコーディングユニット単位でデータが記録される記録可能な情報記録媒体において、
前記レコーディングユニットは、
ユーザーデータとエラー訂正のためのパリティとが含まれ、ＥＣＣシンクを含むボディと、
前記ボディを保護するために、前記ボディの直ぐ前に配置されたヘッドと、を備え、
前記ヘッドには、ヘッドを認識できるパターンが備えられ、前記パターンは、他のいかなるパターンでも検出され得ない唯一のパターンであることを特徴とする情報記録媒体。
【請求項２０】
前記ヘッドを認識できるパターンは、ヘッドの後側に位置し、ヘッドの終了を知らせるヘッドクロージングマークとなっていることを特徴とする請求項１９に記載の情報記録媒体。
【請求項２１】
前記ヘッドクロージングマークは、前記ＥＣＣシンクから識別されるために。前記ＥＣＣシンクとして使用される最長パターンの個数より多いパターンから構成されることを特徴とする請求項２０に記載の情報記録媒体。
【請求項２２】
前記レコーディングユニットは、前記ボディの後側に配置され、テールの開始を知らせるマークを備えるテールを更に備えることを特徴とする請求項２０に記載の情報記録媒体。
【請求項２３】
前記ヘッド領域にデータＰＬＬのために、特定の長さのマークまたはピットがＡバイトの長さの間に繰り返されるように記録されることを特徴とする請求項１９に記載の情報記録媒体。
【請求項２４】
前記特定の長さのマークまたはピットが繰り返されるようにパターン‘０１０００１０００１００’を使用することを特徴とする請求項２３に記載の情報記録媒体。
【請求項２５】
前記Ａバイトの長さは、６８であることを特徴とする請求項２３に記載の情報記録媒体。
【請求項２６】
前記ヘッドを認識できるパターンは、いかなるパターンでも検出され得ないパターンをＢバイトの長さの間に使用することを特徴とする請求項２３に記載の情報記録媒体。
【請求項２７】
前記ヘッドを認識できるパターンは、前記認識パターンの前のパターンと連結されつつ、他のいかなるパターンでも検出され得ないパターンをＢバイトの長さの間に使用することを特徴とする請求項２０に記載の情報記録媒体。
【請求項２８】
前記ヘッドを認識できるパターンは、‘００００００００００１０  ０００００００００００１’を使用することを特徴とする請求項２６に記載の情報記録媒体。
【請求項２９】
前記ヘッドを認識できるパターンは、‘００００００００００１０  ０００００００００００１’を使用することを特徴とする請求項２７に記載の情報記録媒体。
【請求項３０】
前記Ｂバイトの長さは、２であることを特徴とする請求項２６に記載の情報記録媒体。
【請求項３１】
前記Ｂバイトの長さは、２であることを特徴とする請求項２７に記載の情報記録媒体。
【請求項３２】
前記ヘッドを認識できるパターン及びその後に連結されるパターンが、データＰＬＬのために特定の長さのマークまたはピットをＣバイトの長さの間に繰り返させることを特徴とする請求項２６に記載の情報記録媒体。
【請求項３３】
前記ヘッドを認識できるパターン及びその後に連結されるパターンが、データＰＬＬのために特定の長さのマークまたはピットをＣバイトの長さの間に繰り返させることを特徴とする請求項２７に記載の情報記録媒体。
【請求項３４】
前記特定の長さのマークまたはピットが繰り返されるように、パターン‘０００１０００１０００１’を使用することを特徴とする請求項３２に記載の情報記録媒体。
【請求項３５】
前記Ｃバイトの長さは、１であることを特徴とする請求項３２に記載の情報記録媒体。
【請求項３６】
ユーザーデータ及び第１認識子を備えるボディと、前記ボディを保護するために前記ボディの直ぐ前に配置され、前記第１認識子を保護するための第２認識子を備えるヘッドと、を備え、前記第２認識子は、前記第１認識子から識別されるために、前記第１認識子として使用される最長パターンの個数より多いパターンから構成されるレコーディングユニット単位でデータが記録されるディスクを再生する装置において、
前記ディスクからＲＦ信号を検出するピックアップと、
前記ＲＦ信号を入力されて前記第２認識子が発見され、前記第２認識子から予定された区間内に前記第１認識子が発見されなければ、検出された第１認識子からボディが始まると判断して２進データを得る２進デコーダとを備えることを特徴とする装置。
【請求項３７】
前記２進デコーダは、前記第２認識子が発見され、発見された第２認識子から予定された区間内に前記第１認識子が発見されなければ、前記第２認識子から予定された位置に前記第１認識子を内挿し、内挿された第１認識子から前記ボディが始まると判断することを特徴とする請求項３６に記載の装置。
【請求項３８】
前記レコーディングユニットは、前記ボディの直ちに後側に配置され、第３認識子を備えるテールを更に備え、
前記２進デコーダは、前記第２認識子が発見されなければ、前記第３認識子であると判断された位置から一定の区間内に前記第１認識子が発見されなければ、検出された第１認識子から前記ボディが始まると判断することを特徴とする請求項３６に記載の装置。
【請求項３９】
前記レコーディングユニットは、前記ボディの直ちに後側に配置され、第３認識子を備えるテールを更に備え、
前記２進デコーダは、前記第２認識子が発見されずに、前記第３認識子であると判断された位置から一定の区間内に前記第１認識子が発見されなければ、再び前記第２認識子を探す過程を繰り返すことを特徴とする請求項３６に記載の装置。
【請求項４０】
前記レコーディングユニットは、前記ボディの後側に配置され、第３認識子を備えるテールを更に備え、
前記２進デコーダは、前記第２認識子が発見されずに、前記第３認識子であると判断された位置から一定の区間内に前記第１認識子が発見されなければ、所定の第１認識子保護ルーチンに入って第１認識子を復旧し、再び前記第２認識子を探す過程を繰り返すことを特徴とする請求項３６に記載の装置。
【請求項４１】
前記２進デコーダは、前記第２認識子が発見され、前記第２認識子から予定された区間内に前記第１認識子が発見されなければ、検出された第１認識子を基準にボディフレーム内のシンクのための保護ウィンドウを設定することを特徴とする請求項３６に記載の装置。
【請求項４２】
前記２進デコーダは、前記第２認識子が発見され、前記第２認識子から予定された区間内に前記第１認識子が発見されなければ、前記第２認識子から予定された位置に前記第１認識子を内挿し、内挿された第１認識子を基準に前記ボディフレーム内のシンクのための保護ウィンドウを設定することを特徴とする請求項３６に記載の装置。
【請求項４３】
前記レコーディングユニットは、前記ボディの直ちに後側に配置され、第３認識子を備えるテールを更に備え、
前記２進デコーダは、前記第２認識子が発見されなければ、前記第３認識子であると判断された位置から一定の区間内に前記第１認識子が発見されなければ、検出された第１認識子を基準に前記ボディフレーム内のシンクのための保護ウィンドウを設定することを特徴とする請求項３６に記載の装置。
【請求項４４】
前記レコーディングユニットは、前記ボディの直ちに後側に配置され、第３認識子を備えるテールを更に備え、
前記２進デコーダは、前記第２認識子が発見されずに、前記第３認識子であると判断された位置から一定の区間内に前記第１認識子が発見されなければ、再び前記第２認識子を探すことを特徴とする請求項３６に記載の装置。
【請求項４５】
前記レコーディングユニットは、前記ボディの直ちに後側に配置され、第３認識子を備えるテールを更に備え、
前記２進デコーダは、前記第２認識子が発見されずに、前記第３認識子であると判断された位置から一定の区間内に前記第１認識子が発見されなければ、所定の第１認識子保護ルーチンに入って第１認識子を復旧し、再び前記第２認識子を探すことを特徴とする請求項３６に記載の装置。
【請求項４６】
ユーザーデータ及びエラー訂正のためのパリティが含まれ、ＥＣＣシンクを含むボディ、及び前記ボディを保護するために前記ボディの直ぐ前に配置されたヘッドを備え、前記ヘッドは、データ領域に配置されたヘッド識別パターンを備え、前記ヘッド識別パターンは、他のいかなる領域でも検出され得ない唯一のパターンから構成される、レコーディングユニット単位でデータが記録されるディスクを再生する装置において、
前記ディスクからＲＦ信号を検出するピックアップと、
前記ＲＦ信号を入力されて、前記ヘッドを認識できるパターンが発見され、前記パターンから予定された区間内に前記ＥＣＣシンクが発見されなければ、検出されたＥＣＣシンクからボディが始まると判断して２進データを得る２進デコーダと、を備えることを特徴とする装置。
【請求項４７】
前記ヘッドを認識できるパターンは、ヘッドの後側に位置し、ヘッドの終了を知らせるヘッドクロージングマークからなっており、前記ヘッドクロージングマークは、前記ＥＣＣシンクから識別されるために、前記ＥＣＣシンクとして使用される最長パターンの個数より多いパターンから構成されることを特徴とする請求項４６に記載の装置。
【請求項４８】
前記２進デコーダは、前記ヘッドクロージングマークが発見され、発見されたヘッドクロージングマークから予定された区間内に前記ＥＣＣシンクが発見されなければ、前記ヘッドクロージングマークから予定された位置に前記ＥＣＣシンクを内挿し、内挿されたＥＣＣシンクから前記ボディが始まると判断することを特徴とする請求項４１に記載の装置。
【請求項４９】
前記レコーディングユニットは、前記ボディの後側に配置され、テールの開始を知らせるテールオープニングマークを備えるテールを更に備え、
前記２進デコーダは、ヘッドクロージングマークが発見されなければ、前記テールオープニングマークであると判断された位置から一定の区間内に前記ＥＣＣシンクが発見されなければ、検出されたＥＣＣシンクから前記ボディが始まると判断することを特徴とする請求項４７に記載の装置。
【請求項５０】
前記レコーディングユニットは、前記ボディの直ちに後側に配置され、テールの開始を知らせるテールオープニングマークを備えるテールを更に備え、
前記２進デコーダは、前記ヘッドクロージングマークが発見されずに、前記テールオープニングマークであると判断された位置から一定の区間内に前記ＥＣＣシンクが発見されなければ、再び前記ヘッドクロージングマークを探す過程を繰り返すことを特徴とする請求項４７に記載の装置。
【請求項５１】
前記レコーディングユニットは、前記ボディの直ちに後側に配置され、テールの開始を知らせるテールオープニングマークを備えるテールを更に備え、
前記２進デコーダは、前記ヘッドクロージングマークが発見されずに、前記テールオープニングマークであると判断された位置から一定の区間内に前記ＥＣＣシンクが発見されなければ、所定のＥＣＣシンク保護ルーチンに入ってＥＣＣシンクを復旧し、再び前記ヘッドクロージングマークを探す過程を繰り返すことを特徴とする請求項４７に記載の装置。
【請求項５２】
前記２進デコーダは、前記ヘッドクロージングマークが発見され、前記ヘッドクロージングマークから予定された区間内に前記ＥＣＣシンクが発見されなければ、検出されたＥＣＣシンクを基準にボディフレーム内のシンクのための保護ウィンドウを設定することを特徴とする請求項４７に記載の装置。
【請求項５３】
前記２進デコーダは、前記ヘッドクロージングマークが発見され、前記ヘッドクロージングマークから予定された区間内に前記ＥＣＣシンクが発見されなければ、前記ヘッドクロージングマークから予定された位置に前記ＥＣＣシンクを内挿し、内挿されたＥＣＣシンクを基準に前記ボディフレーム内のシンクのための保護ウィンドウを設定することを特徴とする請求項４７に記載の装置。
【請求項５４】
前記レコーディングユニットは、前記ボディの直ちに後側に配置され、テールの開始を知らせるテールオープニングマークを備えるテールを更に備え、
前記２進デコーダは、前記ヘッドクロージングマークが発見されなければ、前記テールオープニングマークであると判断された位置から一定の区間内に前記ＥＣＣシンクが発見されなければ、検出されたＥＣＣシンクを基準に前記ボディフレーム内のシンクのための保護ウィンドウを設定することを特徴とする請求項４７に記載の装置。
【請求項５５】
前記レコーディングユニットは、前記ボディの直ちに後側に配置され、テールの開始を知らせるテールオープニングマークを備えるテールを更に備え、
前記２進デコーダは、前記ヘッドクロージングマークが発見されずに、前記テールオープニングマークであると判断された位置から一定の区間内に前記ＥＣＣシンクが発見されなければ、再び前記ヘッドクロージングマークを探すことを特徴とする請求項４７に記載の装置。
【請求項５６】
前記レコーディングユニットは、前記ボディの直ちに後側に配置され、テールの開始を知らせるテールオープニングマークを備えるテールを更に備え、
前記２進デコーダは、前記ヘッドクロージングマークが発見されずに、前記テールオープニングマークであると判断された位置から一定の区間内に前記ＥＣＣシンクが発見されなければ、所定のＥＣＣシンク保護ルーチンに入ってＥＣＣシンクを復旧し、再び前記ヘッドクロージングマークを探すことを特徴とする請求項４７に記載の装置。
【請求項５７】
記録可能な情報記録媒体にデータを記録する方法において、
レコーディングユニット単位でデータを記録するステップを含み、
前記レコーディングユニットは、ユーザーデータ及び第１認識子を備えるボディと、前記ボディを保護するために前記ボディの直ぐ前に配置され、前記第１認識子を保護するための第２認識子を備えるヘッドとを備え、前記第２認識子は、前記第１認識子から識別されるために、前記第１認識子として使用される最長パターンの個数より多いパターンから構成されることを特徴とする方法。
【請求項５８】
前記レコーディングユニットは、前記ボディの後側に配置され、第３認識子を備えるテールを更に備えることを特徴とする請求項５７に記載の方法。
【請求項５９】
ＲＬＬ（１,１０）変調コードを使用する場合、前記第１認識子は、１２Ｔのパターンを使用し、前記第２認識子は、前記第１認識子で使用する１２Ｔのパターンを２つ使用することを特徴とする請求項５７に記載の方法。
【請求項６０】
ＲＬＬ（１,１０）であり、８ビットのデータを１２ビットのコードワードに変換する変調コードを使用する場合、前記第１認識子は、１３Ｔのパターンを使用し、前記第２認識子は、前記第１認識子で使用する１３Ｔのパターンを２つ使用することを特徴とする請求項５７に記載の方法。
【請求項６１】
前記第２認識子は、ヘッドの後側に位置することを特徴とする請求項５７に記載の方法。
【請求項６２】
前記ヘッド領域にデータＰＬＬのために、特定の長さのマークまたはピットがＡバイトの長さの間に繰り返されるように記録されることを特徴とする請求項５７に記載の方法。
【請求項６３】
前記特定の長さのマークまたはピットが繰り返されるように、パターン‘０１０００１０００１００’を使用することを特徴とする請求項６２に記載の方法。
【請求項６４】
前記Ａバイトの長さは、６８であることを特徴とする請求項６２に記載の方法。
【請求項６５】
前記ヘッド領域でヘッドであることが分かる前記第２認識子のための認識パターンは、他のいかなるパターンでも検出され得ないパターンをＢバイトの長さの間に使用することを特徴とする請求項６２に記載の方法。
【請求項６６】
前記ヘッド領域でヘッドであることが分かる前記第２認識子のための認識パターンは、前記認識パターンの前のパターンと連結されつつ、他のいかなるパターンでも検出され得ないパターンをＢバイトの長さの間に使用することを特徴とする請求項６２に記載の方法。
【請求項６７】
前記認識パターンは、‘００００００００００１０  ０００００００００００１’を使用することを特徴とする請求項６５に記載の方法。
【請求項６８】
前記認識パターンは、‘００００００００００１０  ０００００００００００１’を使用することを特徴とする請求項６６に記載の方法。
【請求項６９】
前記Ｂバイトの長さは、２であることを特徴とする請求項６５に記載の方法。
【請求項７０】
前記Ｂバイトの長さは、２であることを特徴とする請求項６６に記載の方法。
【請求項７１】
前記第２認識子のための認識パターン及びその後に連結されるパターンが、データＰＬＬのために特定の長さのマークまたはピットをＣバイトの長さの間に繰り返させることを特徴とする請求項６５に記載の方法。
【請求項７２】
前記第２認識子のための認識パターン及びその後に連結されるパターンが、データＰＬＬのために特定の長さのマークまたはピットをＣバイトの長さの間に繰り返させることを特徴とする請求項６６に記載の方法。
【請求項７３】
前記特定の長さのマークまたはピットが繰り返されるように、パターン‘０００１０００１０００１’使用することを特徴とする請求項７１に記載の方法。
【請求項７４】
前記Ｃバイトの長さは、１であることを特徴とする請求項７１に記載の方法。
【請求項７５】
前記ユーザーデータは、ＥＣＣブロック単位で記録され、前記第１認識子は、ＥＣＣシンクであり、前記第２認識子は、ヘッドの終了を知らせるヘッドクロージングマークであり、前記第３認識子は、テールの開始を知らせるテールオープニングマークであることを特徴とする請求項５７に記載の方法。
【請求項７６】
ユーザーデータとエラー訂正のためのパリティとが含まれ、ＥＣＣシンクを含むボディ、及び前記ボディを保護するために前記ボディの前側に配置されたヘッドを備え、前記ヘッドには、ヘッドを認識できるパターンが備えられ、前記パターンは、他のいかなるパターンでも検出され得ない唯一のパターンから構成されるレコーディングユニット単位でデータが記録される記録可能なディスクのシンクを保護する方法において、
前記ヘッドを認識できるパターンが発見され、前記パターンから予定された区間内に前記ＥＣＣシンクが発見されなければ、検出されたＥＣＣシンクからボディが始まると判断するステップを含むことを特徴とする方法。
【請求項７７】
前記ヘッドを認識できるパターンは、ヘッドの後側に位置し、ヘッドの終了を知らせるヘッドクロージングマークからなっており、前記ヘッドクロージングマークは、前記ＥＣＣシンクから識別されるために、前記ＥＣＣシンクとして使用される最長パターンの個数より多いパターンから構成されることを特徴とする請求項７６に記載の方法。
【請求項７８】
前記方法は、前記ヘッドクロージングマークが発見され、発見されたヘッドクロージングマークから予定された区間内に前記ＥＣＣシンクが発見されなければ、前記ヘッドクロージングマークから予定された位置に前記ＥＣＣシンクを内挿し、内挿されたＥＣＣシンクから前記ボディが始まると判断するステップを更に含むことを特徴とする請求項７７に記載の方法。
【請求項７９】
前記レコーディングユニットは、前記ボディの後側に配置され、テールの開始を知らせるマークテールオープニングマークを備えるテールを更に備え、前記方法は、
前記ヘッドクロージングマークが発見されなければ、前記テールオープニングマークであると判断された位置から一定の区間内に前記ＥＣＣシンクが発見されなければ、検出されたＥＣＣシンクから前記ボディが始まると判断するステップを更に含むことを特徴とする請求項７７に記載の方法。
【請求項８０】
前記レコーディングユニットは、前記ボディの直ちに後側に配置され、テールの開始を知らせるテールオープニングマークを備えるテールを更に備え、前記方法は、
前記ヘッドクロージングマークが発見されずに、前記テールオープニングマークであると判断された位置から一定の区間内に前記ＥＣＣシンクが発見されなければ、再び前記ヘッドクロージングマークを探す過程を繰り返すステップを更に含むことを特徴とする請求項７７に記載の方法。
【請求項８１】
前記レコーディングユニットは、前記ボディの直ちに後側に配置され、テールの開始を知らせるテールオープニングマークを備えるテールを更に備え、前記方法は、
前記ヘッドクロージングマークが発見されずに、前記テールオープニングマークであると判断された位置から一定の区間内に前記ＥＣＣシンクが発見されなければ、所定のＥＣＣシンク保護ルーチンに入ってＥＣＣシンクを復旧し、再び前記ヘッドクロージングマークを探す過程を繰り返すステップを更に含むことを特徴とする請求項７７に記載の方法。
【請求項８２】
前記方法は、前記ヘッドクロージングマークが発見され、前記ヘッドクロージングマークから予定された区間内に前記ＥＣＣシンクが発見されなければ、検出されたＥＣＣシンクを基準にボディフレーム内のシンクのための保護ウィンドウを設定するステップを更に含むことを特徴とする請求項７７に記載の方法。
【請求項８３】
前記方法は、前記ヘッドクロージングマークが発見され、前記ヘッドクロージングマークから予定された区間内に前記ＥＣＣシンクが発見されなければ、前記ヘッドクロージングマークから予定された位置に前記ＥＣＣシンクを内挿し、内挿されたＥＣＣシンクを基準に前記ボディフレーム内のシンクのための保護ウィンドウを設定するステップを更に含むことを特徴とする請求項７７に記載の方法。
【請求項８４】
前記レコーディングユニットは、前記ボディの後側に配置され、テールの開始を知らせるマークテールオープニングマークを備えるテールを更に備え、前記方法は、
前記ヘッドクロージングマークが発見されなければ、前記テールオープニングマークであると判断された位置から一定の区間内に前記ＥＣＣシンクが発見されなければ、検出されたＥＣＣシンクを基準に前記ボディフレーム内のシンクのための保護ウィンドウを設定するステップを更に含むことを特徴とする請求項７７に記載の方法。
【請求項８５】
前記レコーディングユニットは、前記ボディの直ちに後側に配置され、テールの開始を知らせるテールオープニングマークを備えるテールを更に備え、前記方法は、
前記ヘッドクロージングマークが発見されずに、前記テールオープニングマークであると判断された位置から一定の区間内に前記ＥＣＣシンクが発見されなければ、再び前記ヘッドクロージングマークを探すステップを更に含むことを特徴とする請求項７７に記載の方法。
【請求項８６】
前記レコーディングユニットは、前記ボディの後側に配置され、テールの開始を知らせるテールオープニングマークを備えるテールを更に備え、前記方法は、
前記ヘッドクロージングマークが発見されずに、前記テールオープニングマークであると判断された位置から一定の区間内に前記ＥＣＣシンクが発見されなければ、所定のＥＣＣシンク保護ルーチンに入ってＥＣＣシンクを復旧し、再び前記ヘッドクロージングマークを探すステップを更に含むことを特徴とする請求項７７に記載の方法。
【請求項８７】
データがレコーディングユニットで記録される情報記録媒体において、前記各レコーディングユニットは、
ユーザーデータ及び第１認識子を備えるボディと、
前記ボディを保護するために前記ボディの前に配列され、前記第１認識子を保護するために、前記第１認識子から区別できるように特徴的なパターンを有する第２認識子を備えるヘッドとを備えることを特徴とする情報記録媒体。
【請求項８８】
レコーディングユニットでディスクに記録されたデータを再生する装置であって、前記各レコーディングユニットは、ユーザーデータ及び第１認識子を備えるボディと、前記ボディを保護するために前記ボディの前に配列され、前記第１認識子を保護するために、前記第１認識子から区別できるように特徴的なパターンを有する第２認識子を備えるヘッドと、を備える装置であって、
前記ディスクから記録された信号を検出するピックアップと、
前記ピックアップから検出された信号を受信し、前記第２認識子が検出され、前記第１認識子から所定距離離れたデータ領域で前記第１認識子が検出されれば、前記ボディが始まることを前記第１認識子から決定し、前記検出された信号から２進データを得る２進デコーダとを備えることを特徴とする装置。
【請求項８９】
記録可能な情報記録媒体にデータを記録する方法において、
各レコーディングユニットが、ユーザーデータ及び第１認識子を備えるボディと、前記ボディを保護するために前記ボディの前に配列され、前記第１認識子を保護するために、前記第１認識子から区別できるように特徴的なパターンを有する第２認識子を備えるヘッドとを備えるように、レコーディングユニットでデータを記録するステップを含むことを特徴とする方法。
【請求項９０】
データがレコーディングユニットで記録される情報記録媒体において、前記各レコーディングユニットは、
ユーザーデータ及び第１認識子を備えるボディと、
前記ボディを保護するために前記ボディの前に配列されるヘッドであって、各記録ユニットの前記ヘッドと前記ボディとの間にデータが連結されるマージンを拡張することにより、前記第１認識子を保護するために第２認識子を備えるヘッドと、を備えることを特徴とする情報記録媒体。
【請求項９１】
レコーディングユニットでディスクに記録されたデータを再生する装置であって、前記各レコーディングユニットは、ユーザーデータ及び第１認識子を備えるボディと、前記ボディを保護するために前記ボディの前に配列されるヘッドであって、各記録ユニットの前記ヘッドと前記ボディとの間にデータが連結されるマージンを拡張することにより、前記第１認識子を保護するために第２認識子を備えるヘッドと、を備える装置であって、
前記ディスクから記録された信号を検出するピックアップと、
前記ピックアップから検出された信号を受信して、検出された第２認識字の情報によって前記第１認識子が検出されれば、各記録ユニットのヘッドとボディとを連結し、前記検出された信号からデータを得るデコーダとを備えることを特徴とする装置。
【請求項９２】
レコーディングユニットで記録可能なディスクに記録されたデータに含まれたシンクを保護する方法であって、前記各レコーディングユニットは、ユーザーデータ及び第１認識子を備えるボディと、前記ボディを保護するために前記ボディの前に配列されるヘッドであって、各記録ユニットの前記ヘッドと前記ボディとの間にデータが連結されるマージンを拡張することにより、前記第１認識子を保護するために第２認識子を備えるヘッドと、を備える方法において、
ヘッド識別パターンから所定ポイントまでの範囲のデータ領域で検出された情報によりエラー訂正コードシンクが検出されれば、各レコーディングユニットのヘッドとボディとを連結し、前記検出された信号からデータを得るステップを含むことを特徴とする方法。
【発明の詳細な説明】
【技術分野】
【０００１】
本発明は、情報記録媒体にデータを記録する方法に係り、より詳細には、記録可能なディスクにデータを記録する方法、そのシンク保護方法、その情報記録媒体及びその再生装置に関する。
【背景技術】
【０００２】
従来のＤＶＤ−ＲＯＭのような読み取り専用のディスクには、データが一度に記録されるが、すなわち、記録が始まれば、記録が完了するまで連続的にデータが記録されるが、ＤＶＤ−ＲＷのような記録可能なディスクには、ユーザーの意思などにより随時データが記録されうる。
【０００３】
図１は、従来のＤＶＤ−ＲＷにデータが記録される過程を示す。
【０００４】
図１を参照するに、従来のＤＶＤ−ＲＷのような記録可能なディスクには、記録のための基本単位としてユーザーデータ３２ＫＢが含まれた１ＥＣＣ（Ｅｒｒｏｒ  Ｃｏｒｒｅｃｔｉｏｎ  Ｃｏｄｅ）ブロックを使用する。すなわち、ＥＣＣブロック単位でデータが記録される。データを追加的に記録するためには、記録開始位置がＥＣＣブロック内の第１物理セクタの第１シンクフレームの第１５バイトと第１７バイトとの間になるようにデータリンキングが行われる。
【０００５】
このようなリンキング方式は、データリダンダンシがないため、データフォーマットの効率を多少向上させ得るという長所がある。それに対し、以前に記録が終わった位置（Ｅｎｄ  ｏｆ  Ｒｅｃｏｒｄｉｎｇ）で正確でデータリンキングが行われねば、第１シンクフレームのデータのうち、第２シンクフレームと重なる部分に記録されたデータは、何れも破壊されて適切に再生され難い。さらに、データリンキングが始まる位置が定められた範囲内に来なければ、すなわち、ＤＶＤ−ＲＷの場合、第１シンクフレームの第１５バイトと第１７バイトとの間に位置できなければ、第２シンクフレームのシンクが検出できない可能性がある。シンクを検出することは、データを適切に再生するために非常に重要である。したがって、第２シンクフレームのシンクが適切に検出されねば、第２シンクフレームのデータも適切に再生され難い。
【０００６】
図２ないし図４は、従来のデータリンキング記録方法により記録したときに表れる現象を示す。
【０００７】
図２は、以前に記録が終わった位置と、新たに記録が始まる位置とが正確に一致する場合であり、この場合は、データにエラーなし再生が可能である。
【０００８】
図３は、以前に記録が終わった位置と、新たに記録が始まる位置とが正確に一致しない場合であり、この場合は、データ再生時に第１シンク（ＳＹＮＣ１）フレーム内のデータが損傷されて、適切に再生され難い。
【０００９】
図４は、さらにひどくリンキング規則に違反して記録される場合であり、以前に記録が終わった位置と、新たに記録が始まる位置との差が、第２シンク（ＳＹＮＣ２）を保護するための保護ウィンドウより大きい場合である。この場合は、ＳＹＮＣ２が保護ウィンドウの外側に発生して検出されなくなり、したがって、間違った位置にＳＹＮＣ２を内挿することにより、ＳＹＮＣ２フレーム内のデータが何れも破損される。
【００１０】
図３及び４の場合にも、エラー訂正過程を経て本来のデータに復旧が可能ではあるが、図３及び４の場合が発生すれば、エラーが増加してエラー訂正能力を低下させる一つの原因となる。
【発明の開示】
【発明が解決しようとする課題】
【００１１】
したがって、本発明が達成しようとする技術的課題は、データの破壊なしに安定したデータの再生が可能であるようにデータを記録する方法、そのシンク保護方法、その情報記録媒体及びその再生装置を提供するところにある。
【００１２】
本発明が達成しようとする他の技術的課題は、記録可能なディスクに随時データを記録しても、再生時にデータが適切に再生されるようにデータを記録する方法、そのシンク保護方法、その情報記録媒体及びその再生装置を提供するところにある。
【課題を解決するための手段】
【００１３】
前記技術的課題は、本発明により、レコーディングユニット単位でデータが記録される記録可能な情報記録媒体において、前記レコーディングユニットは、ユーザーデータ及び第１認識子を備えるボディと、前記ボディを保護するために前記ボディの前側に配置され、前記第１認識子を保護するための第２認識子を備えるヘッドと、を備え、前記第２認識子は、前記第１認識子から識別されるために、前記第１認識子として使用される最長パターンの個数より多いパターンから構成されることを特徴とする情報記録媒体により達成される。
【００１４】
前記レコーディングユニットは、前記ボディの後側に配置され、第３認識子を備えるテールを更に備えることが好ましい。
【００１５】
また、前記技術的課題は、レコーディングユニット単位でデータが記録される記録可能な情報記録媒体において、前記レコーディングユニットは、ユーザーデータとエラー訂正のためのパリティとが含まれ、ＥＣＣシンクを含むボディと、前記ボディを保護するために前記ボディの前側に配置されたヘッドと、を備え、前記ヘッドには、ヘッドを認識できるパターンが備えられ、前記パターンは、他のいかなる領域でも発見できない唯一のパターンであることを特徴とする情報記録媒体により達成される。
【００１６】
前記ヘッドを認識できるパターンは、ヘッドの後側に位置し、ヘッドの終了を知らせるマーク（ヘッドクロージングマーク：以下、ＨＣＭ）からなっていることが好ましい。
【００１７】
前記レコーディングユニットは、前記ボディの後側に配置され、テールの開始を知らせるマーク（テイルオープニングマーク：以下、ＴＯＭ）を備えるテールを更に備えることが好ましい。
【００１８】
本発明の他の分野によれば、前記技術的課題は、ユーザーデータ及び第１認識子を備えるボディと、前記ボディを保護するために前記ボディの前側に配置され、前記第１認識子を保護するための第２認識子を備えるヘッドと、を備え、前記第２認識子は、前記第１認識子から識別されるために、前記第１認識子として使用される最長パターンの個数より多いパターンから構成されるレコーディングユニット単位でデータが記録されるディスクを再生する装置において、前記ディスクからＲＦ信号を検出するピックアップと、前記ＲＦ信号を入力されて前記第２認識子が発見され、前記第２認識子から予定された区間内に前記第１認識子が発見されなければ、検出された第１認識子からボディが始まると判断して、２進データを得る２進デコーダと、を備えることを特徴とする装置によっても達成される。
【００１９】
前記２進デコーダは、前記第２認識子が発見され、発見された第２認識子から予定された区間内に前記第１認識子が発見されなければ、前記第２認識子から予定された位置に前記第１認識子を内挿し、内挿された第１認識子から前記ボディが始まると判断することが好ましい。
【００２０】
前記レコーディングユニットは、前記ボディの後側に配置され、第３認識子を備えるテールを更に備え、前記２進デコーダは、前記第２認識子が発見されなければ、前記第３認識子であると判断された位置から一定の区間内に前記第１認識子が発見されなければ、検出された第１認識子から前記ボディが始まると判断することが好ましい。
【００２１】
前記レコーディングユニットは、前記ボディの後側に配置され、第３認識子を備えるテールを更に備え、前記２進デコーダは、前記第２認識子が発見されずに、前記第３認識子であると判断された位置から一定の区間内に前記第１認識子が発見されなければ、再び前記第２認識子を探す過程を繰り返すことが好ましい。
【００２２】
前記２進デコーダは、前記第２認識子が発見され、前記第２認識子から予定された区間内に前記第１認識子が発見されなければ、検出された第１認識子を基準に、ボディフレーム内のシンクのための保護ウィンドウを設定することが好ましい。
【００２３】
前記２進デコーダは、前記第２認識子が発見され、前記第２認識子から予定された区間内に前記第１認識子が発見されなければ、前記第２認識子から予定された位置に前記第１認識子を内挿し、内挿された第１認識子を基準に前記ボディフレーム内のシンクのための保護ウィンドウを設定することが好ましい。
【００２４】
前記レコーディングユニットは、前記ボディの後側に配置され、第３認識子を備えるテールを更に備え、前記２進デコーダは、前記第２認識子が発見されなければ、前記第３認識子であると判断された位置から一定の区間内に前記第１認識子が発見されなければ、検出された第１認識子を基準に、前記ボディフレーム内のシンクのための保護ウィンドウを設定することが好ましい。
【００２５】
前記レコーディングユニットは、前記ボディの後側に配置され、第３認識子を備えるテールを更に備え、前記２進デコーダは、前記第２認識子が発見されずに、前記第３認識子であると判断された位置から一定の区間内に前記第１認識子が発見されなければ、再び前記第２認識子を探すことが好ましい。
【００２６】
また、前記技術的課題は、ユーザーデータとエラー訂正のためのパリティとが含まれ、ＥＣＣシンクを含むボディと、前記ボディを保護するために前記ボディの前側に配置されたヘッドと、を備え、前記ヘッドには、ヘッドを認識できるパターンが備えられ、前記パターンは、他のいかなる領域でも発見できない唯一のパターンから構成されるレコーディングユニット単位でデータが記録されるディスクを再生する装置において、前記ディスクからＲＦ信号を検出するピックアップと、前記ＲＦ信号を入力されて前記ヘッドを認識できるパターンが発見され、前記パターンから予定された区間内に前記ＥＣＣシンクが発見されなければ、検出されたＥＣＣシンクからボディが始まると判断して２進データを得る２進デコーダと、を備えることを特徴とする装置によっても達成される。
【００２７】
本発明の更に他の分野によれば、前記技術的課題は、記録可能な情報記録媒体にデータを記録する方法において、レコーディングユニット単位でデータを記録するステップを含み、前記レコーディングユニットは、ユーザーデータ及び第１認識子を備えるボディと、前記ボディを保護するために前記ボディの前側に配置され、前記第１認識子を保護するための第２認識子を備えるヘッドと、を備え、前記第２認識子は、前記第１認識子から識別されるために、前記第１認識子として使用される最長パターンの個数より多いパターンから構成されることを特徴とする方法によっても達成される。
【００２８】
本発明の更に他の分野によれば、前記技術的課題は、ユーザーデータとエラー訂正のためのパリティとが含まれ、ＥＣＣシンクを含むボディと、前記ボディを保護するために前記ボディの前側に配置されたヘッドと、を備え、前記ヘッドには、ヘッドを認識できるパターンが備えられ、前記パターンは、他のいかなる領域でも発見できない唯一のパターンから構成されるレコーディングユニット単位でデータが記録される記録可能なディスクのシンクを保護する方法において、前記ヘッドを認識できるパターンが発見され、前記パターンから予定された区間内に前記ＥＣＣシンクが発見されなければ、検出されたＥＣＣシンクからボディが始まると判断するステップを含む方法によっても達成される。
【００２９】
前記ヘッドを認識できるパターンは、ヘッドの後側に位置し、ＨＣＭからなっており、前記ＨＣＭは、前記ＥＣＣシンクから識別されるために、前記ＥＣＣシンクとして使用される最長パターンの個数より多いパターンから構成されることが好ましい。
【００３０】
前記方法は、前記ＨＣＭが発見され、発見されたＨＣＭから予定された区間内に前記ＥＣＣシンクが発見されなければ、前記ＨＣＭから予定された位置に前記ＥＣＣシンクを内挿し、内挿されたＥＣＣシンクから前記ボディが始まると判断するステップを更に含むことが好ましい。
【００３１】
前記レコーディングユニットは、前記ボディの後側に配置され、ＴＯＭを備えるテールを更に備え、前記方法は、前記ＨＣＭが発見されなければ、前記ＴＯＭであると判断された位置から一定の区間内に前記ＥＣＣシンクが発見されなければ、検出されたＥＣＣシンクから前記ボディが始まると判断するステップを更に含むことが好ましい。
【００３２】
前記レコーディングユニットは、前記ボディの後側に配置され、ＴＯＭを備えるテールを更に備え、前記方法は、前記ＨＣＭが発見されずに、前記ＴＯＭであると判断された位置から一定の区間内に前記ＥＣＣシンクが発見されなければ、再び前記ＨＣＭを探す過程を繰り返すステップを更に含むことが好ましい。
【００３３】
前記レコーディングユニットは、前記ボディの後側に配置され、ＴＯＭを備えるテールを更に備え、前記方法は、前記ＨＣＭが発見されずに、前記ＴＯＭであると判断された位置から一定の区間内に前記ＥＣＣシンクが発見されなければ、所定のＥＣＣシンク保護ルーチンに入ってＥＣＣシンクを復旧し、再び前記ＨＣＭを探す過程を繰り返すステップを更に含むことが好ましい。
【００３４】
前記方法は、前記ＨＣＭが発見され、前記ＨＣＭから予定された区間内に前記ＥＣＣシンクが発見されなければ、検出されたＥＣＣシンクを基準に、ボディフレーム内のシンクのための保護ウィンドウを設定するステップを更に含むことが好ましい。
【００３５】
前記方法は、前記ＨＣＭが発見され、前記ＨＣＭから予定された区間内に前記ＥＣＣシンクが発見されなければ、前記ＨＣＭから予定された位置に前記ＥＣＣシンクを内挿し、内挿されたＥＣＣシンクを基準に、前記ボディフレーム内のシンクのための保護ウィンドウを設定するステップを更に含むことが好ましい。
【００３６】
前記レコーディングユニットは、前記ボディの後側に配置され、ＴＯＭを備えるテールを更に備え、前記方法は、前記ＨＣＭが発見されなければ、前記ＴＯＭであると判断された位置から一定の区間内に前記ＥＣＣシンクが発見されなければ、検出されたＥＣＣシンクを基準に、前記ボディフレーム内のシンクのための保護ウィンドウを設定するステップを更に含むことが好ましい。
【００３７】
前記レコーディングユニットは、前記ボディの後側に配置され、ＴＯＭを備えるテールを更に備え、前記方法は、前記ＨＣＭが発見されずに、前記ＴＯＭであると判断された位置から一定の区間内に前記ＥＣＣシンクが発見されなければ、再び前記ＨＣＭを探すステップを更に含むことが好ましい。
【００３８】
前記レコーディングユニットは、前記ボディの後側に配置され、ＴＯＭを備えるテールを更に備え、前記方法は、前記ＨＣＭが発見されずに、前記ＴＯＭであると判断された位置から一定の区間内に前記ＥＣＣシンクが発見されなければ、所定のＥＣＣシンク保護ルーチンに入ってＥＣＣシンクを復旧し、再び前記ＨＣＭを探すステップを更に含むことが好ましい。
【発明を実施するための最良の形態】
【００３９】
以下では、添付図面を参照して本発明の好ましい実施形態を詳細に説明する。
【００４０】
図５は、本発明の好ましい実施形態に係る再生装置のブロック図である。図５を参照するに、再生装置は、後述するように、本発明により再生時にデータが適切に再生されうるデータ構造で記録されたディスク１００を再生する装置であって、ピックアップ１及び２進デコーダ２を備える。ピックアップ１は、ディスク１００にレーザービームを照射して、ディスク１００から反射されたレーザービームを受光し、これから得られたＲＦ信号を出力する。２進デコーダ２は、ＲＦ（無線周波数）信号から２進データを得る。
【００４１】
図６は、本発明の一実施形態に係るデータ記録方法に更に記録されたディスク１００のデータ構造を示す。図６を参照するに、ディスク１００に形成されたトラック（図示せず）には、レコーディングユニット単位でデータが記録される。レコーディングユニットは、データが記録される最小の論理的単位であって、ディスク１００へのデータ記録は、必ずレコーディングユニットで始まり、レコーディングユニットで終了される。一般的に、１レコーディングユニットとして、１エラー訂正単位が使用される。
【００４２】
レコーディングユニットは、ヘッド、ボディ及びテールから構成される。ヘッドは、データを再生するときにボディに含まれたデータを保護するために、ボディの前側につく部分である。ボディは、ユーザーデータが入っている部分である。ボディには、シンクデータに該当する第１認識子（１）が最前側に配置されており、ユーザーデータ以外のエラー訂正のためのパリティが備えられている。第１認識子（１）は、ボディの開始を知らせる役割を行う。
【００４３】
ヘッド及びテールは、データをリンキングして記録するとき、ボディを保護するためにそれぞれボディの前後側につく部分である。ヘッドは、データリンキングが行われるとき、ボディに備えられたデータ、特に、第１認識子（１）を保護するためにボディの前側に付けられ、テールは、データリンキングが行われるとき、ボディに備えられたユーザーデータを保護するためにボディの後側に付けられる。
【００４４】
ヘッド及びテールにもそれぞれ認識子が配置されている。すなわち、ヘッドには、第２認識子（２）が配置されており、テールには、第３認識子（３）が配置されている。第２認識子（２）は、ボディに入っている第１認識子（１）を保護する役割を行い、第３認識子（３）は、ボディの終了を知らせる役割を行う。第２認識子（２）は、ヘッドが始まる位置、すなわち、記録が開始される時点から所定時点以後に、本実施形態では、再生時にデータから得られるＰＬＬ（位相ロックドループ）が十分に安定した時点以後に配置される。第３認識子（３）は、テールの最前側に配置される。認識子は、従来のシンクデータと同様の役割を行うため、残りの部分に記録される２進データと異なるパターンで記録されて、認識子として識別される。
【００４５】
従来に比べて、本構造の特徴は、ヘッドにボディの第１認識子（１）を保護するための第２認識子（２）が存在するところにある。第２認識子（２）は、残りの認識子、ヘッド、ボディ及びテールには存在していないパターンで記録する。さらに、第２認識子（２）を確実に区分するために、ヘッド内の第２認識子（２）は、例えば、ディスク１００のトラックに形成されるピットやマーク長を基準にして残りの部分に記録されるパターンと比較したとき、基準となるチャンネルクロックに対して２Ｔ（Ｔは、１チャンネルクロックの周期）以上異なるパターンのみで構成する。このように構成することにより、各パターンを読み取ったとき、約±１Ｔの誤差が発生しても、他の領域の認識子から第２認識子（２）であることを識別できる。
【００４６】
代案として、レコーディングユニットは、ボディにヘッドのみが付けられるか、またはボディにテールのみが付けられる構造を有しうる。ヘッド、ボディ及びテールの詳細構造は、前記した通りである。
【００４７】
図７は、本発明の他の実施形態に係るデータ記録方法により記録されたディスク１００のデータ構造を示す。図７を参照するに、本実施形態によれば、記録しようとするデータをボディに入れ、ボディの前後側のヘッド及びテールをそれぞれ配置して、リンキング時にボディを保護させ、ヘッド内にボディの開始を知らせる第１認識子（１）を保護する第２認識子（２）をおくことを特徴とした。ここで、第２認識子（２）の位置は、ヘッドの開始位置、すなわち、記録が開始される時点から、再生時にデータＰＬＬが十分に安定する時点以後に置かれるようにする。これは、再生時にリンキング記録が行われた位置でＰＬＬが不安定になっても、十分に安定化した以後に第２認識子を安定的に検出させるためである。
【００４８】
特に、本発明を通じて得られる効果は、データリンキングが行われうるマージンが従来の数バイト以内であったものを、第３認識子（３）を除いたテールの長さ（δ）に延長させ得ることである。進行方向、すなわち、＋方向にはマージンを敢えてδに限定する必要はないが、一般的に、記録終了時点からデータリンキングのための±δのマージンを確保する。
【００４９】
このように、マージンを確保できることは、第２認識子が存在するために可能である。第２認識子（２）は、記録が開始される前側、すなわち、ヘッドに位置するためにリンキング記録による破損危険がなく、データＰＬＬが安定した以後に存在するために検出が容易である。第２認識子（２）が検出されれば、第１認識子（１）がいつ発生するか予測が可能である。したがって、従来に問題点であった、保護ウィンドウの外側で第１認識子（１）が発見される場合の誤検出の問題が発生しなくなる。本発明では、第２認識子（２）の安定した検出のために、第２認識子（２）は、他のいかなる認識子やヘッド、ボディ、テール内にも存在しないパターンから構成される。さらに、第２認識子（２）を確実に区分するために、ヘッド内の第２認識子（２）は、例えば、ディスク１００のトラックに形成されるピットやマーク長を基準にしたとき、残りの部分に記録されるパターンと比較して基準になるチャンネルクロックに対して、２Ｔ（Ｔは、１チャンネルクロックの周期）以上異なるパターンのみから構成する。このように構成することにより、各パターンを読み取ったとき、約±１Ｔの誤差が発生しても、他の領域の他の認識子から第２認識子（２）であることを識別できる。
【００５０】
また、第２認識子（２）は、第１認識子（１）または第３認識子（３）で使用される最長パターンの個数より多いパターンから構成される。例えば、ＲＬＬ（１,１０）変調コードを使用する場合、第１認識子（１）は、一般的に１２Ｔ以上のパターンを一つまたは二つを使用するが、この場合、第２認識子（２）のためには、第１認識子（１）で使用する１２Ｔ以上の最長パターンを更に多く使用する特徴を持たせて、第１認識子（１）とは明確に区分される。
【００５１】
図８は、第２認識子（２）を基準に、どのように第１認識子（１）を検出して内挿するかを示すフローチャートである。
図８を参照するに、第２認識子（２）が発見され（ステップ８０１）、第２認識子（２）から予定された区間内に第１認識子（１）が発見されなければ（ステップ８０２）、検出された第１認識子からボディが始まると判断する（ステップ８０３）。
【００５２】
第２認識子（２）が発見されたが（ステップ８０１）、第２認識子（２）から予定された区間内に第１認識子（１）が発見されなければ（ステップ８０２）、第２認識子（２）から予定された位置に第１認識子（１）を内挿し、内挿された第１認識子（１）からボディが始まると判断する（ステップ８０４）。
【００５３】
第２認識子（２）が発見されない場合（ステップ８０１）、第３認識子（３）であると判断された位置から一定の区間内に第１認識子（１）が発見されなければ（ステップ８０５）、検出された第１認識子（１）からボディが始まると判断する（ステップ８０３）。
【００５４】
第２認識子（２）が発見されずに（ステップ８０１）、第３認識子（３）であると判断された位置から一定の区間内に第１認識子（１）も発見されなければ（ステップ８０５）、再び第２認識子（２）を探す。
【００５５】
図９は、第２認識子（２）を基準に、どのようにボディ内のシンクを保護する保護ウィンドウを形成するかを示すフローチャートである。図９を参照するに、第２認識子（２）が発見され（ステップ９０１）、第２認識子（２）から予定された区間内に第１認識子（１）が発見されなければ（ステップ９０２）、検出された第１認識子（１）を基準に、ボディ内のシンクのための保護ウィンドウを設定する（ステップ９０３）。第２認識子（２）が発見され（ステップ９０１）、第２認識子（２）から予定された区間内に第１認識子（１）が発見されなければ（ステップ９０２）、第２認識子（２）から予定された位置に第１認識子（１）を内挿し、内挿された第１認識子（１）を基準に、ボディ内のシンクのための保護ウィンドウを設定する（ステップ９０４）。
【００５６】
第２認識子（２）が発見されずに（ステップ９０１）、第３認識子（３）であると判断された位置から一定の区間内に第１認識子（１）が発見されなければ（ステップ９０５）、検出された第１認識子（１）を基準に、ボディ内のシンクのための保護ウィンドウを設定する（ステップ９０３）。
【００５７】
第２認識子（２）が発見されずに（ステップ９０１）、第３認識子（３）であると判断された位置から一定の区間内に第１認識子（１）が発見されなければ（ステップ９０５）、再び第２認識子（２）を探す。
【００５８】
より詳細なシンク保護及び内挿方法は、本出願人が１９９７年１２月２６日付で出願し、１９９７年７月１５日付で公開された公開番号第５４３７０号“シンク検出装置、及びそれによる光ディスク再生装置”に開示されている。
【００５９】
図１０は、本発明の更に他の実施形態に係るデータ記録方法によって記録されたディスク１００のデータ構造図であって、レコーディングユニット構造でヘッド部分をより詳細に示す図であって、図６または図７に示す構造に何れも適用されうる。図１０を参照するに、第１認識子（１）は、具体的な例として１  ＥＣＣブロック単位のＥＣＣシンクを意味し、第２認識子（２）は、具体的な例としてヘッドの終了を知らせるＨＣＭを意味し、第３認識子（３）は、具体的な例としてテールの開始を知らせるＴＯＭを意味する。
【００６０】
ｎ１は、ヘッドの長さ（ａ＋ｂ＋ｃ）を表し、ヘッドには、ボディを保護しつつＰＬＬのためのパターンが備えられうる。ＰＬＬのためのパターンは、例えば、同じサイズのマーク（または、ピット）が繰り返される形態が好ましい。ボディ内のデータを保護するためには、通常的に１  ＥＣＣブロックより構成されるボディの開始を知らせるＥＣＣシンク（（１））を保護せねばならない。このために、例えば、ヘッド内にヘッドであることを認識できるマークがあれば、このマークを利用してＥＣＣシンクを保護できる。このマークは、他のいかなる領域でも発見できない唯一のパターンであることが好ましく、できれば、ヘッドの端部に位置させることが好ましい。このマークとＥＣＣシンクとの間には、ＰＬＬのための反復パターンを挿入することが好ましい。
【００６１】
具体的な例としては、最小ランレングスｄは、１であり、最大ランレングスｋは、１０であり、８ビットのデータを１２ビットのコードワードに変換する変調コードを使用する記録／再生装置において、最小マーク（または、ピット）は、２Ｔ（ここで、１Ｔはデータ再生用のチャンネルクロックの１周期を意味する）であり、最大マーク（または、ピット）は１１Ｔになる。ＥＣＣシンクのために、１３Ｔのマーク（または、ピット）を使用するとしよう。前記のヘッドの長さ（ｎ１）を７１バイト、ヘッドの終了を知らせるＨＣＭの長さ（ｂ）を２バイト、ＨＣＭとＥＣＣシンクとの間の長さ（ｃ）を１バイトと定める。ヘッドとＨＣＭとの間の長さ（ａ）は、６８バイトになる。ＰＬＬのためのパターン（可変周波数発振器：以下、ＶＦＯ）として、コードワード‘０１０００１０００１００’を６８バイトの長さ（ａ）の間に繰り返して使用し、２バイトの長さのＨＣＭパターンのために‘００００００００００１０  ０００００００００００１’を使用し、ＨＣＭの後のパターンは、１バイトの長さに該当する‘０００１０００１０００１’がくるようにする。それにより、ＨＣＭの直ぐ前のコードワードである‘０１０００１０００１００’と、ＨＣＭである‘００００００００００１０  ０００００００００００１’とが出合って、１３Ｔのマーク（または、ピット）が２回発生する。これは、他のいかなる領域でも表れない唯一のパターンになり、このパターンを検出して、ＥＣＣシンクの検出失敗時にＥＣＣシンクの内挿を実施できる。また、ＨＣＭの後のパターン‘０００１０００１０００１’は、ＶＦＯでもあるが、また、ＨＣＭを発見し、ＥＣＣシンクを検出するための区間（シンク保護ウィンドウ）の設定のための区間でもある。前記のように形成した好ましいヘッド構造は、図１１に示す通りである。
【００６２】
以下では、図１１に示すように構成されたヘッドで、ＨＣＭを利用してボディ領域内のＥＣＣシンク及びその他のシンク保護過程を説明する。
【００６３】
図１２は、ＨＣＭを基準にどのようにＥＣＣシンクを検出及び内挿するかを示すフローチャートである。図１２を参照するに、ＨＣＭが発見され（ステップ１２０１）、ＨＣＭから予定された区間内にＥＣＣシンクが発見されなければ（ステップ１２０２）、検出されたＥＣＣシンクからボディが始まると判断すればよい（ステップ１２０３）。ＨＣＭが発見され（ステップ１２０１）、ＨＣＭから予定された区間内にＥＣＣシンクが発見されなければ（ステップ１２０２）、ＨＣＭから予定された位置にＥＣＣシンクを内挿し、内挿されたＥＣＣシンクからボディが始まると判断すればよい（ステップ１２０４）。
【００６４】
ＨＣＭが発見されなければ（ステップ１２０１）、ＴＯＭであると判断された位置から一定の区間内にＥＣＣシンクが発見されなければ（ステップ１２０５）、検出されたＥＣＣシンクからボディが始まると判断すればよい（ステップ１２０３）。ＨＣＭが発見されずに（ステップ１２０１）、ＴＯＭであると判断された位置から一定の区間内にＥＣＣシンクが発見されなければ（ステップ１２０５）、別途の特別なＥＣＣシンク保護ルーチンに入って、ＥＣＣシンクを復旧した後（ステップ１２０６）、次のＨＣＭを探す。ここでは、特別なＥＣＣシンク保護ルーチンについては言及していない。また、図８及び図９でも、第３認識子として判断された位置から一定の区間内に第１認識子が発見されなければ、ＥＣＣシンク保護ルーチンを行う工程が更に構成されうる。
【００６５】
図１３は、ＨＣＭを基準にどのようにボディフレーム内のシンクを保護する保護ウィンドウを形成するかを示すフローチャートである。図１３を参照するに、ＨＣＭが発見され（ステップ１３０１）、ＨＣＭから予定された区間内にＥＣＣシンクが発見されなければ（ステップ１３０２）、検出されたＥＣＣシンクを基準にボディフレーム内のシンクのための保護ウィンドウを設定する（ステップ１３０３）。ＨＣＭが発見され（ステップ１３０１）、ＨＣＭから予定された区間内にＥＣＣシンクが発見されなければ（ステップ１３０２）、ＨＣＭから予定された位置にＥＣＣシンクを内挿し、内挿されたＥＣＣシンクを基準に、ボディフレーム内のシンクのための保護ウィンドウを設定する（ステップ１３０４）。ＨＣＭが発見されなければ（ステップ１３０１）、ＴＯＭであると判断された位置から一定の区間内にＥＣＣシンクが発見されなければ（ステップ１３０５）、検出されたＥＣＣシンクを基準に、ボディフレーム内のシンクのための保護ウィンドウを設定する（ステップ１３０３）。ＨＣＭが発見されずに（ステップ１３０１）、ＴＯＭであると判断された位置から一定の区間内にＥＣＣシンクが発見されなければ（ステップ１３０５）、別途の特別なＥＣＣシンク保護ルーチンに入って、ＥＣＣシンクを復旧した後（ステップ１３０６）、次のＨＣＭを探す。
【産業上の利用可能性】
【００６６】
発明によれば、データリンキングが行われうるマージンが、従来の数バイト以内であったものが、第３認識子を除いたテールの長さ（δ）に延長され得る。これにより、記録可能なディスクに随時データを記録しても、再生時にデータを適切に再生させうる。特に、本発明に係るデータ構造は、保存されたデータを読み取ったり、伝送されたデータを受信するとき、安定的にデータを復元するための手段として光ディスク記録／再生装置、磁気ディスク記録／再生装置に適用可能である。
【００６７】
また、本発明は、ＥＣＣシンクを備えてその他のシンクを保護するため、安定したユーザーデータの再生が可能である。
【図面の簡単な説明】
【００６８】
【図１】従来のＤＶＤ−ＲＷにデータが記録される過程を示す概要図である。
【図２】従来のデータリンキング記録方法により記録したときに表れる現象を示す参考図である。
【図３】従来のデータリンキング記録方法により記録したときに表れる現象を示す参考図である。
【図４】従来のデータリンキング記録方法により記録したときに表れる現象を示す参考図である。
【図５】本発明の好ましい実施形態に係る再生装置のブロック図である。
【図６】本発明の一実施形態に係るデータ記録方法により記録されたディスク１００のデータ構造図である。
【図７】本発明の他の実施形態に係るデータ記録方法により記録されたディスク１００のデータ構造図である。
【図８】第２認識子（２）を基準に、どのように第１認識子（１）を検出及び内挿するかを示すフローチャートである。
【図９】第２認識子（２）を基準に、どのようにボディフレーム内のシンクを保護する保護ウィンドウを形成するかを示すフローチャートである。
【図１０】本発明の更に他の実施形態に係るデータ記録方法により記録されたディスク１００のデータ構造図である。
【図１１】図１０に示すヘッドの好ましい一実施形態に係る詳細構造図である。
【図１２】ＨＣＭを基準に、どのようにＥＣＣシンクを検出及び内挿するかを示すフローチャートである。
【図１３】ＨＣＭを基準に、どのようにボディフレーム内のシンクを保護する保護ウィンドウを形成するかを示すフローチャートである。
【符号の説明】
【００６９】
１      ピックアップ
２      ２進デコーダ
１００  ディスク
【図１】
2006520514.tif 000003
【図２】
2006520514.tif 000004
【図３】
2006520514.tif 000005
【図４】
2006520514.tif 000006
【図５】
2006520514.tif 000007
【図６】
2006520514.tif 000008
【図７】
2006520514.tif 000009
【図８】
2006520514.tif 000010
【図９】
2006520514.tif 000011
【図１０】
2006520514.tif 000012
【図１１】
2006520514.tif 000013
【図１２】
2006520514.tif 000014
【図１３】
2006520514.tif 000015
【国際調査報告】
2006520514.tif 000016